(57)【要約】【課題】ボール弁形分水栓において切粉がボール弁の外面側に回り込むことを防止する。【解決手段】分水栓本体に内蔵したボール弁により分岐管連結部の通水孔を開閉する分水栓において、上記通水孔の本体側開口部に、環状突部を上記ボール弁と近接するように周設した。この手段によれば、環状突部がボール弁の外面側間隙と分岐管連結部の通水孔とを遮断する仕切として機能し、穿設切粉がボール弁側に回り込むことを防止する。また、別の手段として上記通水孔に、円筒部材をその一端がボール弁と近接するように嵌入した。当該手段によれば、円筒部材の近接側一端が上述した環状突部と同様、仕切として機能する。【選択図】　　　図３
2004028337.tif 000002
【特許請求の範囲】
【請求項１】
分水栓本体に内蔵したボール弁により分岐管連結部の通水孔を開閉する分水栓において、上記通水孔の本体側開口部に、環状突部を上記ボール弁と近接するように周設したことを特徴とする分水栓。
【請求項２】
分水栓本体に内蔵したボール弁により分岐管連結部の通水孔を開閉する分水栓において、上記通水孔に、円筒部材をその一端がボール弁と近接するように嵌入したことを特徴とする分水栓。
【発明の詳細な説明】
【０００１】
【発明の属する技術分野】
本発明は、給水本管に分岐孔を穿設した場合に生じる残留切粉を確実に外部に排出することができる分水栓の改良に関するものである。
【０００２】
【従来の技術】
鋳鉄等からなる給水本管に分水栓を取り付けるにあたり、分岐孔の穿設時に発生する切粉は、そのまま放置すると錆びて赤水の原因となるので、分水栓内部から排出する必要がある。そこで、従来は分岐管側に別途ドレン弁を設けて、切粉を外部に排出していた。
【０００３】
【発明が解決しようとする課題】
ところで、分水栓は一般に図４に示したように、分岐孔の穿孔装置を挿入する分水栓本体１０に、分岐管連結部１１を横設した構造であり、上記分岐管連結部１１はその鋳造性を考慮して、通常、その内周面１２にヌスミ溝１３が周設されている。このため、分岐管連結部１１の通水孔には段部１４が形成されることになり、上記ヌスミ溝１３に穿設切粉Ｗが滞留することがある。従って、従来の分水栓では穿設切粉Ｗを完全に排出できないという課題があった。
【０００４】
また、分水栓における分岐管連結部の開閉はボール弁により行うことが多く、この場合、図５に示したように、分水栓本体２０に形成された弁室２１とボール弁２２との間には間隙２３ができる。このため、従来のボール弁形分水栓では、往々にして穿設切粉Ｗが上記間隙２３に回り込むことがあり、ボール弁２２の回動不良や、弁体外面のシール部損傷による漏水を誘発するという課題もあった。
【０００５】
本発明は上述した課題を解決するためになされたもので、その目的は、ボール弁形分水栓において切粉がボール弁の外面側に回り込むことを防止することである。
【０００６】
【課題を解決するための手段】
上記目的を達成するために本発明では、分水栓本体に内蔵したボール弁により分岐管連結部の通水孔を開閉するボール弁形分水栓における目的達成のため、分岐管連結部の通水孔の分水栓本体側開口部に環状の突部を、ボール弁と近接するように周設するという手段を用いた。この手段によれば、環状突部がボール弁の外面側間隙と分岐管連結部の通水孔とを遮断する仕切として機能し、穿設切粉がボール弁側に回り込むことを防止する。
【０００７】
また、ボール弁形分水栓の別手段として、上記分岐管連結部の通水孔に、円筒部材をその一端がボール弁と近接するように嵌入するという手段を用いた。当該手段によれば、円筒部材の近接側一端が上述した環状突部と同様、仕切として機能する。
【０００８】
【発明の実施の形態】
以下、本発明の好ましい実施の形態を添付した図面に従って説明する。図１は、第一の実施形態に係る分水栓の要部切欠斜視図である。図中、１は給水本管（図示せず）に穿設した分岐孔と連通する分水栓本体であり、その接合部１ａは分水栓を取付ける際、給水本管に分岐孔の穿孔装置を挿入するためのものであって、穿設作業後は、通常、キャップなどによって閉じられる。２は分水栓本体１の側面に横設された分岐管連結部であって、分水栓本体１を介して給水本管の流体を分水するものである。なお、３は分岐管連結部を開閉するための弁構造であり、例えばボール弁が該当する。
【０００９】
上記構成の分水栓において本発明の特徴部分を詳述すると、分岐管連結部２の内周面、即ち通水孔２ａには一部を開放部分４とした円弧状のヌスミ溝５を周設している。つまり、従来は環状のヌスミ溝を形成することにより、通水孔２ａには１又は２つの段部が形成されていたが、本発明ではヌスミ溝を完全な環状とせず、円弧状とすることによって、その一部を分岐管連結部の他部と同じ肉厚の面一部４としている。そして、この面一部４は切粉滞留の原因となる段部がなく、他部と連続した面となるので、穿孔切粉Ｗの通過路として機能し、分岐管連結部２内の切粉Ｗを容易に分岐管側に流出させることができる。分岐管側に流出された切粉Ｗは、従来と同様、ドレン弁等を用いて外部に排出するのである。
【００１０】
また、上記実施形態では面一部４を分岐管連結部２の底部に形成したので、重みにより沈殿しやすい切粉Ｗをも容易に分岐管側に流出させることができる。ただし、面一部４の形成位置は、分岐管連結部２の底部には限らない。また、面一部４の形成数も上記実施形態のように一つに限らず、二つ以上であってもよい。さらに、面一部４の形成方法は、ヌスミ溝５の形成当初より円弧状のヌスミ溝を周設し、その円弧開放部を面一部とする方法の他、環状のヌスミ溝を形成した後、後発的にヌスミ溝の一部に溝埋め部材を設けることで該部を面一部とする方法があるが、その何れであっても本発明の目的は達成される。
【００１１】
次に、図２に従って第二の実施形態を示す。図２は第二実施形態に係る分水栓の要部切断平面図であって、分水栓の開閉弁としてボール弁６を採用したものである。そしてこの実施形態では、分岐管連結部２において、通水孔２ａの分水栓本体１側の開口部２ｂにボール弁６の弁体６ａと近接する環状突部７を周設している。当該構成によれば、上記環状突部７が仕切として、分岐管連結部２の通水孔２ａと、弁体６ａの外面側間隙８とを遮断できるため、切粉Ｗが上記間隙８に回り込むことを防ぐことができる。
【００１２】
続いて、図３は本発明の第３の実施形態を示したものであって、この実施形態では第二実施形態で説明したボール弁形分水栓において、外径を分岐管連結部２と同径、内径をボール弁６の分岐側弁口６ｂと同径とした円筒部材９を別途備える。そして、この円筒部材９をその一端９ａがボール弁６の弁体６ａと近接するように通水孔２ａから突出して、分岐管連結部２に嵌入することで、その組み込みが完了する。
【００１３】
この第三実施形態によれば、通水孔２ａから突出した円筒部材９の一端９ａが、上述した第二実施形態の環状突部７と同様に、分岐管連結部２の通水孔２ａと弁体６ａの外面側間隙８を遮断する仕切として機能し、切粉Ｗの間隙８への回り込みを防止することができる。また、この第三実施形態では、円筒部材９を嵌入するのみで本発明目的が達成されるので、既製のボール弁形分水栓にも適用することができる。
【００１４】
なお、ここでは第一から第三の実施形態をそれぞれ単独の構造として説明したが、第一と第二、あるいは第一と第三の実施形態を同時に採用できるのはもちろんである。
【００１５】
【発明の効果】
以上説明したように、分岐管連結部の内周面に円弧状ヌスミ溝を形成したものにあっては、面一部より分岐管連結部内の切粉を分岐管側に完全に流出させることができる。
【００１６】
また、ボール弁形分水栓において、分岐管連結部の通水孔の開口部に環状突部を形成、あるいは上記通水孔に円筒部材を嵌入したものにあっては、切粉がボール弁の外面側に回り込むことがなく、赤水の発生だけでなく、残留切粉によるボール弁の故障をも回避することができる。
【図面の簡単な説明】
【図１】本発明の第一実施形態に係る分水栓の要部切欠斜視図
【図２】本発明の第二実施形態に係る分水栓の要部切断平面図
【図３】本発明の第三実施形態に係る分水栓の要部切断平面図
【図４】従来技術に係る分水栓の要部切欠斜視図
【図５】従来技術に係る分水栓の要部切断平面図
【符号の説明】
１　　分水栓本体
２　　分岐管連結部
２ａ　通水孔
３　弁構造
４　面一部
５　ヌスミ溝
６　ボール弁
７　環状突部
８　ボール弁の外面側間隙
９　円筒部材
【図１】
2004028337.tif 000003
【図２】
2004028337.tif 000004
【図３】
2004028337.tif 000005
【図４】
2004028337.tif 000006
【図５】
2004028337.tif 000007